(57)【要約】【課題】  特別な装置を必要とせずに携帯電話機の使用が禁止されているエリアで携帯電話機への着信を所定の転送先に転送する事が可能な携帯電話機を提供する。【解決手段】  携帯電話機１０は、位置情報取得部１０４にてＧＰＳ１０１にて取得する位置情報と予め特定エリア登録部１０５へ記録された特定エリアの位置座標より特定エリア内であると検出した場合、転送設定実行部１０６は予め登録された転送先電話番号を転送サービスへ設定し、端末制御部１０３は無線電源部１１０へ電源ＯＦＦの信号を送信し、無線電源部１１０は無線制御部１０２の給電を停止し、無線の送受信を停止する。【選択図】    図１
2015070372.tif 000002
【特許請求の範囲】
【請求項１】
位置情報を定期的または非定期に取得する位置情報取得手段を備え、自携帯電話機の存在場所が通話禁止の特定エリア内か否かに応じて自動的に所定の転送設定を実行する携帯電話機であって、
前記特定エリアを登録する特定エリア登録手段と、前記特定エリア登録手段を参照し前記位置情報取得手段が取得した位置情報が前記特定エリア外から前記特定エリア内に変化した場合に予め定められた転送サービスの電話番号に発信し、所定の電話番号を転送先とする転送設定を実行する転送設定実行手段と、前記位置情報取得手段が取得した位置情報が前記特定エリア内から前記特定エリア外に変化した場合に前記転送サービスの電話番号に発信し前記実行した転送設定を解除する転送設定解除手段と、を有することを特徴とする転送自動設定解除機能を有する携帯電話機。
【請求項２】
請求項１に記載の携帯電話機であって、
前記転送設定実行手段が転送設定を実行する転送先の電話番号は、前記特定エリア内に存在している所定の内線電話システムを構成する内線電話機の内、当該特定エリアに対応する予め定められた内線電話機の電話番号であることを特徴とする転送自動設定解除機能を有する携帯電話機。
【請求項３】
請求項１または２に記載の携帯電話機であって、
前記転送設定実行手段が転送設定を実行した場合に、自携帯電話機が備える無線通信機能を停止することを特徴とする転送自動設定解除機能を有する携帯電話機。
【請求項４】
請求項１〜３のいずれかに記載の携帯電話機であって、
前記転送設定解除手段が転送設定を解除する場合に、自携帯電話機が備える無線通信機能を起動することを特徴とする転送自動設定解除機能を有する携帯電話機。
【発明の詳細な説明】
【技術分野】
【０００１】
本発明は、位置情報を定期的または非定期に取得する位置情報取得手段を備え、自携帯電話機の存在場所が通話禁止の特定エリア内か否かに応じて自動的に所定の転送設定を実行する携帯電話機に関する。
【背景技術】
【０００２】
従来、携帯電話機の使用や持ち込みが禁止されている事務所または病院施設で勤務する人に緊急を要する連絡を行いたい場合、直接勤務先の事務所へ連絡して取り次いでもらう必要があった。この改善策として、移動通信網から携帯端末に着信した音声信号およびデータ信号を、構内通信網のプロトコルに従い構内通信網を介して構内専用携帯端末に転送する、または構内専用携帯端末から構内通信網を介して携帯端末接続装置に音声信号またはデータ信号を送信し、携帯端末に転送する携帯端末接続システムが特許文献１に記載されている。
【０００３】
しかしながら、特許文献１によると、携帯電話機の使用が禁止されているエリアの外に専用の携帯端末接続装置を設置する必要があり、また複数の勤務地へ移動する場合は、各勤務先に同様のシステムが設置されていなければ転送を受けられないという問題があった。
【先行技術文献】
【特許文献】
【０００４】
【特許文献１】特再公表２００４―０６２２５２号公報
【発明の概要】
【発明が解決しようとする課題】
【０００５】
本発明の課題は上記の問題を鑑みて為されたものであり、特別な装置を必要とせずに携帯電話機の使用が禁止されているエリアにおける携帯電話機への着信を所定の転送先に転送する事が可能な携帯電話機を提供する事にある。
【課題を解決するための手段】
【０００６】
上記の課題を解決するために、本発明は位置情報を定期的または非定期に取得する位置情報取得手段を備え、自携帯電話機の存在場所が通話禁止の特定エリア内か否かに応じて自動的に所定の転送設定を実行する携帯電話機であって、前記特定エリアを登録する特定エリア登録手段と、前記特定エリア登録手段を参照し前記位置情報取得手段が取得した位置情報が前記特定エリア外から前記特定エリア内に変化した場合に予め定められた転送サービスの電話番号に発信し、所定の電話番号を転送先とする転送設定を実行する転送設定実行手段と、前記位置情報取得手段が取得した位置情報が前記特定エリア内から前記特定エリア外に変化した場合に前記転送サービスの電話番号に発信し前記実行した転送設定を解除する転送設定解除手段とを有することを特徴とする。
【発明の効果】
【０００７】
本発明によれば、専用の装置を必要とせずに携帯電話機の使用が禁止されているエリアにおいて、携帯電話機への着信を所定の転送先（例えば、病院内の自席の電話機やエリア内で使用可能な専用のＰＨＳ等）に転送する事が可能な携帯電話機を提供できる。
【図面の簡単な説明】
【０００８】
【図１】本発明による転送自動設定解除機能を有する携帯電話機の実施形態を示すブロック構成図である。
【図２】特定エリア登録部に登録される特定エリアの一例を示す図である。
【図３】転送設定実行部に登録される転送サービス設定番号および転送先電話番号の一例を示す図である。
【図４】本発明による転送自動設定解除機能を有する携帯電話機の実施形態の動作フローチャートの一例を示す図である。
【発明を実施するための形態】
【０００９】
以下、本発明の実施の形態を、図面を参照して説明する。
【００１０】
図１は、本発明による転送自動設定解除機能を有する携帯電話機の実施形態を示すブロック構成図である。本発明による転送自動設定解除機能を有する携帯電話機１０は、基地局と接続されており、位置情報取得部１０４は、端末制御部１０３を介してＧＰＳ１０１（Ｇｌｏｂａｌ  Ｐｏｓｉｔｉｏｎｉｎｇ  Ｓｙｓｔｅｍ）から携帯電話機１０の位置情報を定期的または非定期的に取得する。
【００１１】
特定エリア登録部１０５は、携帯電話機の使用を禁止されている特定エリアを登録する。携帯電話機１０の使用者が特定エリア内に存在している場合に端末操作部１０８から登録操作を行うと、位置情報取得部１０４がＧＰＳ１０１から取得した位置情報を、端末制御部１０３を介して受け取り、後述する図２のように特定エリアを登録する。特定エリアの登録件数は少なくとも１件以上であり、特定エリアは端末操作部１０８から使用者が手動で位置座標や地図を用いて禁止範囲を入力してもよい。
【００１２】
転送設定実行部１０６は、携帯電話機１０が特定エリア外から特定エリア内へ入った場合に、通信事業者が提供している転送サービスの電話番号に発信し、病院内の自席の電話機やエリア内で使用可能な専用のＰＨＳ等の電話番号を転送先とする転送設定を実行する転送サービス設定を行う。また、転送サービスの電話番号である転送サービス番号と、着信を転送する転送先である所定の電話番号を示す転送先番号が後述する図３のように登録されており、端末操作部１０８から使用者が登録する。
【００１３】
なお、転送サービス番号および転送先番号は、特定エリア登録部１０５に記録した特定エリアと紐づけられているものとする。また、転送設定実行部１０６へ登録する転送先番号は、携帯電話機１０に予め登録された電話帳の電話番号を設定する様にしてもよい。
【００１４】
転送設定解除部１０７は、携帯電話機１０が特定エリア内から特定エリア外へ入った場合に、予め定められた転送サービスの電話番号に発信して転送サービスの電話番号に発信し転送設定実行部１０６が実行した転送サービス設定の解除を行う。なお、転送サービスの電話番号は転送設定実行部１０６に登録された転送サービス番号を使用するものとする。
【００１５】
無線制御部１０２は、一般的な音声通話やデータ伝送を無線にて送受信する。無線電源部１１０は、端末制御部１０３からの制御信号により出力電圧を制御し、無線制御部１０２への電源供給を調整する。
【００１６】
送話部１１１は、通話を行う際の音声を収集し端末制御部１０３へ送信する。受話部１１３は、通話を行う際の端末制御部１０３からの音声を出力する。スピーカ部１１２は、携帯電話機１０での操作音や着信音を端末制御部１０３から出力に応じて鳴動する。また、通話を行う際の端末制御部１０３からの音声を出力する。表示部１０９は、端末制御部１０３からの制御信号に応じて文字や数字、画像やアプリケーションの画面を表示する。
【００１７】
端末制御部１０３は、携帯電話機１０全体の制御を行う。ここで、携帯電話機１０が転送及び転送解除を行う場合の動作を説明する。ＧＰＳ１０１から位置情報を受取り、位置情報取得部１０４へ渡し、特定エリア登録部１０５を参照して位置情報が特定エリア内か否かを判定する。特定エリア内であった場合には転送設定実行部１０６に指示して転送サービス設定を行い、無線電源部１１０に指示して無線制御部１０２をＯＦＦにする。再びＧＰＳ１０１から位置情報を受取り、位置情報取得部１０４へ渡し、特定エリア登録部１０５を参照して位置情報が特定エリア外であった場合には、無線電源部１１０に指示して無線制御部１０２をＯＮにした後に、転送設定解除部１０７に指示して転送サービス設定を解除する。
【００１８】
図２は、特定エリア登録部１０５へ登録される特定エリアの一例を示す図である。登録番号３００には、１番からｎ番まで番号が割り振られ、緯度３０１と経度３０２を特定エリアの中心として、特定エリアの範囲を決める禁止範囲３０３からなる。例えば登録番号１のテーブル３０４には、緯度３０１、経度３０２、禁止範囲３０３が登録されている。
【００１９】
図３は、転送設定実行部１０６へ登録される転送サービス番号および転送先番号の一例を示す図である。登録番号４００には、１番からｎ番まで番号が割り振られ、転送サービス番号と転送先番号を記録する転送サービス番号および転送先番号テーブル４０１からなる。登録番号４００と図２の登録番号３００は対になっており、紐づけて登録が為されている。例えば登録番号１のテーブル４０２には、転送サービスを開始する電話番号と特定の内線電話システムへ転送する電話番号がセットで記録されている。なお、転送サービス番号および転送先番号テーブル４０１は、転送サービスの転送開始および特定エリア内に存在している所定の内線電話システムを構成する内線電話機の内、当該特定エリアに対応する予め定められた内線電話機の電話番号を含む番号である。
【００２０】
図４は、本発明による転送自動設定解除機能を有する携帯電話機１０の実施形態の動作フローチャートの一例を示す図である。図１〜図３を合わせて用いて、携帯電話機１０の動作について説明する。
【００２１】
携帯電話機１０は電源を入れた状態から本フローチャートをスタートする。初めに、位置情報取得部１０４は定期的または非定期的にＧＰＳ１０１からの位置情報の取得を開始し（Ｓ２００）、端末制御部１０３は取得した位置情報が特定エリア登録部１０５に登録された登録番号１の緯度（○○度□□分△△秒）、経度（□○○度□□分△△秒）の位置座標を中心として、半径１００ｍ以内か否かで、特定エリアの範囲内か否かを判定する（Ｓ２０１）。特定エリアに入っていない場合は（Ｓ２０１、ＮＯ）、特定エリアの登録／削除の操作を受け付けたか否か（Ｓ２０３）、転送先電話番号の登録／削除の操作を受け付けたか否か（Ｓ２１０）、または一般の発信／着信の操作を受け付けたか否か（Ｓ２１２）のいずれかを待ち、いずれも受け付けていない場合（Ｓ２０３、Ｓ２１０、Ｓ２１２、ＮＯ）、Ｓ２０１に戻る。
【００２２】
取得した位置情報が特定エリア登録部１０５に登録された特定エリアの範囲内であった場合、端末制御部１０３は携帯電話機１０が特定エリア外から特定エリア内に移動したと判定し、（Ｓ２０１、ＹＥＳ）、転送設定実行部１０６は、該当する特定エリア登録部１０５に登録された登録番号１に対応する転送サービス番号及び転送先番号（○×△  ○△□□×○○○×△  □□×）を読み出し、転送サービスを設定する（Ｓ２０２）。
【００２３】
転送サービス設定が完了すると、端末制御部１０３は無線電源部１１０へ電源ＯＦＦの信号を送信し、無線電源部１１０は無線制御部１０２の電源供給を停止する（Ｓ２０４）。
【００２４】
無線制御部１０２を停止した後も、位置情報取得部１０４はＧＰＳ１０１からの位置情報を取得し（Ｓ２０５）、位置情報取得部１０４から取得した位置情報が特定エリア登録部１０５の該当する登録番号の特定エリア内から特定エリア外になったと端末制御部１０３がと判定した場合（Ｓ２０６、ＹＥＳ）、端末制御部１０３は無線電源部１１０へ電源ＯＮの信号を送信し、無線電源部１１０は無線制御部１０２の電源供給を開始する（Ｓ２０７）。
【００２５】
無線制御部１０２への電源供給が開始されると、転送設定解除部１０７は先に転送を設定した転送サービスに発信し、予め登録された転送停止の設定番号を送出し転送サービス設定を解除する（Ｓ２０８）。
【００２６】
また、特定エリアの登録または削除の操作を受け付けた場合（Ｓ２０３、ＹＥＳ）、特定エリア登録部１０５に図２に示す構成で位置座標および禁止エリアの範囲の登録を行う、または削除を行い（Ｓ２０９）、Ｓ２０１へ戻る。
【００２７】
また、転送先電話番号の登録または削除の操作を受け付けた場合（Ｓ２１０、ＹＥＳ）、転送設定実行部１０６に図３に示す構成で転送先電話番号の登録を行う、または削除を行い（Ｓ２１１）、Ｓ２０１へ戻る。
【００２８】
また、一般の発信または着信の操作を受け付けた場合（Ｓ２１２、ＹＥＳ）、端末制御部１０３は、送話部１１１からの送話音声を無線制御部１０２より送信し、通話相手側からの受話音声を受話部１１３またはスピーカ部１１２から出力し（Ｓ２１３）、Ｓ２０１へ戻る。
【符号の説明】
【００２９】
１０：携帯電話機、１０１：ＧＰＳ、１０２：無線制御部、１０３：端末制御部、１０４：位置情報取得部、１０５：特定エリア登録部、１０６：転送設定実行部、１０７：転送設計解除部、１０８：端末操作部、１０９：表示部、１１０：無線電源部、１１１：送話部、１１２：スピーカ部、１１３：受話部
【図１】
2015070372.tif 000003
【図２】
2015070372.tif 000004
【図３】
2015070372.tif 000005
【図４】
2015070372.tif 000006